(57)【要約】制御部２２は、タッチディスプレイ２５上に、案内経路の情報を示すタイムラインエリア３０と、推奨ＰＯＩを示すオブジェクト４１を表示するレコメンドエリア４０とを表示させる。そして、制御部２２は、レコメンドエリア４０に表示される任意のオブジェクト４１に対する所定の操作を検知した場合、当該オブジェクト４１のＰＯＩに関連するＰＯＩを特定し、当該関連するＰＯＩを示す関連オブジェクト４１Ｒを表示する。
2018135622.tif 000002
【特許請求の範囲】
【請求項１】
ユーザに対するレコメンド情報をレコメンド領域に表示する表示部と、
前記レコメンド情報に対する前記ユーザの所定の操作を検知する操作検知部と、
前記操作検知部によって前記所定の操作を検知した場合、前記所定の操作が行われたレコメンド情報に関連する関連レコメンド情報を前記表示部に表示させる表示制御部と、
を備えることを特徴とする表示装置。
【請求項２】
前記所定の操作は、前記レコメンド情報をドラッグして揺する操作、前記レコメンド情報をタップする操作、又は前記レコメンド情報に対する複数の指による操作であることを特徴とする請求項１に記載の表示装置。
【請求項３】
前記表示制御部は、前記所定の操作の操作量に基づき、前記表示部に表示させる前記関連レコメンド情報の数を決定することを特徴とする請求項１または２に記載の表示装置。
【請求項４】
前記表示制御部は、前記所定の操作が前記レコメンド情報をドラッグして揺する操作である場合、揺すった回数又は揺すった時間に比例する数の前記関連レコメンド情報を表示させ、前記所定の操作が前記レコメンド情報をタップする操作である場合、タップした回数に比例する数の前記関連レコメンド情報を前記表示部に表示させることを特徴とする請求項３に記載の表示装置。
【請求項５】
前記表示制御部は、前記関連レコメンド情報を、前記表示部の上方から降下して前記表示部に表示させることを特徴とする請求項１〜４のいずれか一項に記載の表示装置。
【請求項６】
前記表示制御部は、複数の前記関連レコメンド情報を、前記所定の操作が行われたレコメンド情報を囲む位置に配置することを特徴とする請求項１〜５のいずれか一項に記載の表示装置。
【請求項７】
前記表示制御部は、前記所定の操作が行われたレコメンド情報が場所に関する情報である場合、当該場所の周辺に存在する当該場所と同一ジャンルの場所に関する情報、又は、当該場所と評価が同等の場所に関する情報を、前記関連レコメンド情報として前記表示部に表示させることを特徴とする請求項１〜６のいずれか一項に記載の表示装置。
【請求項８】
地図を表示する第２表示部をさらに備え、
前記表示制御部は、場所に関する関連レコメンド情報を表示させる場合には、当該関連レコメンド情報が示す場所を少なくとも表示範囲とするように、前記第２表示部における地図の縮尺を変更することを特徴とする請求項１〜７のいずれか一項に記載の表示装置。
【請求項９】
前記表示制御部は、前記所定の操作が行われたレコメンド情報が楽曲に関する情報である場合、当該楽曲のアーティストの別の楽曲に関する情報、又は、当該楽曲と同一ジャンルの別の楽曲に関する情報を、前記関連レコメンド情報として前記表示部に表示させることを特徴とする請求項１〜６のいずれか一項に記載の表示装置。
【請求項１０】
ユーザに対するレコメンド情報をレコメンド領域に表示する表示部を備える表示装置が実行する制御方法であって、
前記レコメンド情報に対する前記ユーザの所定の操作を検知する操作検知工程と、
前記操作検知工程によって前記所定の操作を検知した場合、前記所定の操作が行われたレコメンド情報に関連する関連レコメンド情報を前記表示部に表示させる表示制御工程と、
を有することを特徴とする制御方法。
【請求項１１】
ユーザに対するレコメンド情報をレコメンド領域に表示する表示部を制御するコンピュータが実行するプログラムであって、
前記レコメンド情報に対する前記ユーザの所定の操作を検知する操作検知部と、
前記操作検知部によって前記所定の操作を検知した場合、前記所定の操作が行われたレコメンド情報に関連する関連レコメンド情報を前記表示部に表示させる表示制御部
として前記コンピュータを機能させることを特徴とするプログラム。
【請求項１２】
請求項１１に記載のプログラムを記憶したことを特徴とする記憶媒体。
【発明の詳細な説明】
【技術分野】
【０００１】
本発明は、推奨する情報の表示技術に関する。
【背景技術】
【０００２】
従来から、おすすめのコンテンツをユーザに提示する技術が知られている。例えば、特許文献１には、テレビのメニュー画面において、複数のおすすめ番組をレコメンド情報としてユーザに提示する技術が開示されている。
【先行技術文献】
【特許文献】
【０００３】
【特許文献１】特開２０１５−１６７０３８号公報
【発明の概要】
【発明が解決しようとする課題】
【０００４】
特許文献１によれば、複数のレコメンドするコンテンツを提示する点については開示されているが、ユーザの操作に応じてインタラクティブにレコメンドするコンテンツを変更する点については、何ら開示されていない。【０００５】
本発明は、例えば、上記のような課題を解決するためになされたものであり、ユーザの操作に応じてレコメンドするコンテンツを好適に決定することが可能な表示装置を提供することを主な目的とする。
【課題を解決するための手段】
【０００６】
請求項１に記載の発明は、表示装置であって、ユーザに対するレコメンド情報をレコメンド領域に表示する表示部と、前記レコメンド情報に対する前記ユーザの所定の操作を検知する操作検知部と、前記操作検知部によって前記所定の操作を検知した場合、前記所定の操作が行われたレコメンド情報に関連する関連レコメンド情報を前記表示部に表示させる表示制御部と、を備えることを特徴とする。【０００７】
請求項１０に記載の発明は、ユーザに対するレコメンド情報をレコメンド領域に表示する表示部を備える表示装置が実行する制御方法であって、前記レコメンド情報に対する前記ユーザの所定の操作を検知する操作検知工程と、前記操作検知工程によって前記所定の操作を検知した場合、前記所定の操作が行われたレコメンド情報に関連する関連レコメンド情報を前記表示部に表示させる表示制御工程と、を有することを特徴とする。【０００８】
請求項１１に記載の発明は、ユーザに対するレコメンド情報をレコメンド領域に表示する表示部を制御するコンピュータが実行するプログラムであって、前記レコメンド情報に対する前記ユーザの所定の操作を検知する操作検知部と、前記操作検知部によって前記所定の操作を検知した場合、前記所定の操作が行われたレコメンド情報に関連する関連レコメンド情報を前記表示部に表示させる表示制御部として前記コンピュータを機能させることを特徴とする。
【図面の簡単な説明】
【０００９】
【図１】車両表示システムの概略構成である。
【図２】車両表示システムのブロック構成を示す。
【図３】メインディスプレイ及びタッチディスプレイの基本的な表示例を示す。
【図４】プレビュー操作に基づくメインディスプレイ及びタッチディスプレイの表示例を示す。
【図５】立寄地設定操作に基づくメインディスプレイ及びタッチディスプレイの表示例を示す。
【図６】揺すり操作に基づき関連オブジェクトを発生させる際のレコメンドエリアの時系列での表示例を示す。
【図７】揺すり操作後のメインディスプレイ及びタッチディスプレイの表示例を示す。
【図８】関連オブジェクトの他の表示例である。
【図９】タイムラインエリア上でピンチインの操作が行われた場合のタッチディスプレイの表示例である。
【図１０】タイムラインエリア上でピンチアウトの操作が行われた場合のタッチディスプレイの表示例である。
【図１１】タイムラインエリア上で下方に向けてフリック操作が行われた場合のタッチディスプレイの表示例である。
【図１２】インジケータをドラッグ＆ドロップ操作により時間軸に沿って移動させた場合のタッチディスプレイの表示例である。
【発明を実施するための形態】
【００１０】
本発明の好適な実施形態によれば、表示装置は、ユーザに対するレコメンド情報をレコメンド領域に表示する表示部と、前記レコメンド情報に対する前記ユーザの所定の操作を検知する操作検知部と、前記操作検知部によって前記所定の操作を検知した場合、前記所定の操作が行われたレコメンド情報に関連する関連レコメンド情報を前記表示部に表示させる表示制御部と、を備える。
【００１１】
上記表示装置は、表示部と、操作検知部と、表示制御部とを備える。表示部は、ユーザに対するレコメンド情報をレコメンド領域に表示する。操作検知部は、表示されたレコメンド情報に対するユーザの所定の操作を検知する。表示制御部は、操作検知部によって所定の操作を検知した場合、所定の操作が行われたレコメンド情報に関連する関連レコメンド情報を表示部に表示させる。この態様によれば、表示装置は、ユーザが指定したレコメンド情報に関連するレコメンド情報を表示し、ユーザが関心を有するレコメンド情報を好適にユーザに提示することができる。
【００１２】
好適には、前記所定の操作は、前記レコメンド情報をドラッグして揺する操作、前記レコメンド情報をタップする操作、又は前記レコメンド情報に対する複数の指による操作等である。
【００１３】
上記表示装置の一態様では、前記表示制御部は、前記所定の操作の操作量に基づき、前記表示部に表示させる前記関連レコメンド情報の数を決定する。この態様により、表示装置は、ユーザが所望する数の関連レコメンド情報を好適に表示することができる。
【００１４】
上記表示装置の他の一態様では、前記表示制御部は、前記所定の操作が前記レコメンド情報をドラッグして揺する操作である場合、揺すった回数又は揺すった時間に比例する数の前記関連レコメンド情報を表示させ、前記所定の操作が前記レコメンド情報をタップする操作である場合、タップした回数に比例する数の前記関連レコメンド情報を前記表示部に表示させる。この態様により、表示装置は、表示させる関連レコメンド情報の数をユーザに好適に調整させることができる。
【００１５】
上記表示装置の他の一態様では、前記表示制御部は、前記関連レコメンド情報を、前記表示部の上方から降下して前記表示部に表示させる。この態様により、表示装置は、ユーザの操作に基づき生成された関連レコメンド情報を好適に強調することができる。
【００１６】
上記表示装置の他の一態様では、前記表示制御部は、複数の前記関連レコメンド情報を、前記所定の操作が行われたレコメンド情報を囲む位置に配置する。この態様により、表示装置は、関連レコメンド情報が操作対象となったレコメンド情報の派生物であることをユーザに好適に視認させることができる。
【００１７】
上記表示装置の他の一態様では、前記表示制御部は、前記所定の操作が行われたレコメンド情報が場所に関する情報である場合、当該場所の周辺に存在する当該場所と同一ジャンルの場所に関する情報、又は、当該場所と評価が同等の場所に関する情報を、前記関連レコメンド情報として前記表示部に表示させる。この態様により、表示装置は、操作対象となったレコメンド情報が示す場所と関連する場所の情報を関連レコメンド情報として好適に表示することができる。
【００１８】
上記表示装置の他の一態様では、表示装置は、地図を表示する第２表示部をさらに備え、前記表示制御部は、場所に関する関連レコメンド情報を表示させる場合には、当該関連レコメンド情報が示す場所を少なくとも表示範囲とするように、前記第２表示部における地図の縮尺を変更する。この態様により、表示装置は、関連レコメンド情報として推奨する場所を第２表示部が表示する地図により好適にユーザに視認させることができる。
【００１９】
上記表示装置の他の一態様では、前記表示制御部は、前記所定の操作が行われたレコメンド情報が楽曲に関する情報である場合、当該楽曲のアーティストの別の楽曲に関する情報、又は、当該楽曲と同一ジャンルの別の楽曲に関する情報を、前記関連レコメンド情報として前記表示部に表示させる。この態様により、表示装置は、操作対象となったレコメンド情報が示す楽曲と関連する楽曲の情報を関連レコメンド情報として好適に表示することができる。
【００２０】
本発明の他の好適な実施形態によれば、ユーザに対するレコメンド情報をレコメンド領域に表示する表示部を備える表示装置が実行する制御方法であって、前記レコメンド情報に対する前記ユーザの所定の操作を検知する操作検知工程と、前記操作検知工程によって前記所定の操作を検知した場合、前記所定の操作が行われたレコメンド情報に関連する関連レコメンド情報を前記表示部に表示させる表示制御工程と、を有する。表示装置は、この制御方法を実行することで、ユーザが指定したレコメンド情報に関連するレコメンド情報を表示し、ユーザが関心を有するレコメンド情報を好適にユーザに提示することができる。
【００２１】
本発明の他の好適な実施形態によれば、ユーザに対するレコメンド情報をレコメンド領域に表示する表示部を制御するコンピュータが実行するプログラムであって、前記レコメンド情報に対する前記ユーザの所定の操作を検知する操作検知部と、前記操作検知部によって前記所定の操作を検知した場合、前記所定の操作が行われたレコメンド情報に関連する関連レコメンド情報を前記表示部に表示させる表示制御部として前記コンピュータを機能させる。コンピュータは、このプログラムを実行することで、ユーザが指定したレコメンド情報に関連するレコメンド情報を表示し、ユーザが関心を有するレコメンド情報を好適にユーザに提示することができる。好適には、上記プログラムは、記憶媒体に記憶される。
【実施例】
【００２２】
以下、図面を参照して本発明の好適な実施例について説明する。【００２３】
［車両表示システムの概要］
図１は、本実施例に係る車両表示システム２０の概略構成である。車両表示システム２０は、車両１に搭載されるシステムである。【００２４】
車両表示システム２０は、メインディスプレイ２４と、タッチパネルデバイス２５とを備える。メインディスプレイ２４は、車両１の周辺の地図、自車位置、案内経路などの地図画面を表示したり、再生中のコンテンツに関するコンテンツ画面を表示したりする。尚、メインディスプレイ２４はタッチパネルを備え、ユーザによる操作が可能な構成としてもよい。タッチディスプレイ２５は、タッチパネルが積層された液晶ディスプレイなどであり、センターコンソール付近に設けられる。ユーザは、タッチディスプレイ２５を入力装置として使用し、立寄地の設定などの操作を行う。車両表示システム２０は、本発明における「表示装置」の一例であり、タッチディスプレイ２５は、本発明における「表示部」の一例である。また、メインディスプレイ２４は、本発明における「第２表示部」の一例である。【００２５】
図２は、車両表示システム２０の内部構成を示す。図２に示すように、車両表示システム２０は、通信部２１と、制御部２２と、記憶部２３と、メインディスプレイ２４と、タッチディスプレイ２５と、スピーカ２６と、センサ部２７とを有する。これらの各要素は、バスラインを介して相互に接続されている。【００２６】
通信部２１は、ＶＩＣＳ（登録商標）センタ、又は各車両の走行履歴を蓄積管理して渋滞情報を提供するサーバなどから配信される渋滞情報その他交通情報を受信する。また、通信部２１は、車両を制御するための信号を車両に送信したり、車両の状態に関する信号を車両から受信したりする。【００２７】
記憶部２３は、制御部２２が実行するプログラムや、制御部２２が所定の処理を実行する為に必要な情報を記憶する。本実施例では、記憶部２３は、自動運転や地図表示などに必要な道路データや施設情報などを含む地図データ７０を記憶する。なお、地図データ７０は、予め記憶部２３に記憶されていてもよく、図示しないサーバ装置から受信する情報に基づき生成又は更新されてもよい。【００２８】
スピーカ２６は、制御部２２の制御下で、経路案内に関する音声や再生中の楽曲の音を車室内に出力する。なお、スピーカ２６は、通常、車両の左右（助手席側と運転席側）に設けられる。また、車両の前席と後席にそれぞれ左右のスピーカが設けられてもよい。【００２９】
センサ部２７は、車両の周辺環境を認識するための１又は複数の外界センサ７１と、ＧＰＳ受信機７２と、ジャイロセンサ７３及び速度センサ７４などの自立測位装置とを含む。外界センサ７１は、例えば、カメラ（３Ｄカメラも含む）、ライダ（ＬＩＤＡＲ：Ｌａｓｅｒ  Ｉｌｌｕｍｉｎａｔｅｄ  Ｄｅｔｅｃｔｉｏｎ  ａｎｄ  Ｒａｎｇｉｎｇ、Ｌａｓｅｒ  Ｉｍａｇｉｎｇ  Ｄｅｔｅｃｔｉｏｎ  ａｎｄ  Ｒａｎｇｉｎｇ または ＬｉＤＡＲ：Ｌｉｇｈｔ  Ｄｅｔｅｃｔｉｏｎ  ａｎｄ  Ｒａｎｇｉｎｇ）などが該当する。センサ部２７は、生成した出力信号を、制御部２２へ供給する。【００３０】
制御部２２は、プログラムを実行するＣＰＵなどを含み、車両表示システム２０の全体を制御する。例えば、制御部２２は、ユーザが入力した目的地や立寄地までの経路探索を行い、経路案内又は自動運転のための経路を設定する。また、制御部２２は、メインディスプレイ２４及びタッチディスプレイ２５の表示を制御する。また、制御部２２は、車両１が自動運転に対応した車両である場合には、センサ部２７の出力信号及び地図データ７０等に基づき、設定した経路に沿って走行するための車両１の自動運転制御を行う。制御部２２は、本発明における「操作検知部」、「表示制御部」及び本発明におけるプログラムを実行するコンピュータの一例である。なお、制御部２２として機能するＣＰＵ等は、メインディスプレイ２４又はタッチディスプレイ２５のいずれかに付属されていてもよく、車両１のＥＣＵ（Ｅｌｅｃｔｒｉｃ  Ｃｏｎｔｒｏｌ  Ｕｎｉｔ）であってもよい。【００３１】
［表示制御］
次に、本実施例において制御部２２が実行するメインディスプレイ２４及びタッチディスプレイ２５の表示制御について説明する。【００３２】
（１）基本表示
図３（Ａ）はメインディスプレイ２４の基本的な表示例を示し、図３（Ｂ）はタッチディスプレイ２５の基本的な表示例を示す。図３（Ａ）に示すように、制御部２２は、メインディスプレイ２４上に、図示しない地図に重ねて、案内する対象となる経路（案内経路）を示す案内経路線５１と、車両１の現在位置を示す現在位置マーク５２とを表示させる。【００３３】
一方、図３（Ｂ）に示すように、制御部２２は、タッチディスプレイ２５上に、タイムラインエリア３０、レコメンドエリア４０、ストックエリア５０の３つのエリアを表示させる。この場合、タイムラインエリア３０とレコメンドエリア４０は、相互に接するように左右に並んで配置される。一方、ストックエリア５０は、タイムラインエリア３０とレコメンドエリア４０の両方と接するように、それらの下方に配置される。【００３４】
タイムラインエリア３０には、案内経路に関する経路情報が表示される。具体的には、制御部２２は、タイムラインエリア３０上に、現在時刻（１１：３０）を基準とする時間軸３１と、基準となる時刻（ここでは現在時刻）を指し示すインジケータ３２と、目的地（ここでは「○○ランド」）及び目的地への到着予想時刻を表すアイコン３３Ａとを表示させている。時間軸３１には目盛が付されており、タイムラインエリア３０の下端が現在に対応し、それより上方が将来に対応する。なお、図３（Ｂ）の例では、時間軸３１は、現在時刻である１１時３０分から１３時３０分過ぎまでの時間帯を表している。後述するように、時間軸３１に対応する時間帯は、ユーザの操作により変更可能である。時間軸３１が示す時間帯を、以後では「対象時間帯」と呼ぶ。【００３５】
また、制御部２２は、通信部２１から受信する渋滞情報に基づき、案内経路上での渋滞を検知し、渋滞が予想される時間帯を時間軸３１に対応付けて表示する。具体的には、制御部２２は、渋滞が予想される案内経路上の道路を走行予定の時間帯に対応付けて、渋滞線３４と、渋滞の発生を示すアイコン３３Ｂと、他車撮影画像３５とを表示させている。ここで、他車撮影画像３５は、道路上の各車両が撮影した画像を収集する図示しないサーバ装置から通信部２１が受信した渋滞発生道路での他車両による撮影画像である。また、制御部２２は、渋滞に関する情報の他、立寄地が設定されている場合には、立寄地のアイコン等を時間軸３１に対応付けて表示させる。【００３６】
レコメンドエリア４０には、ユーザに対して推奨されるＰＯＩ（Ｐｏｉｎｔ  Ｏｆ  Ｉｎｔｅｒｅｓｔ）が表示される。具体的には、図３（Ｂ）に示すように、制御部２２は、ユーザに対して推奨するＰＯＩ（「推奨ＰＯＩ」とも呼ぶ。）を表す複数のオブジェクト４１をレコメンドエリア４０に表示する。オブジェクト４１は、推奨する度合い（「推奨度」とも呼ぶ。）が高いほど大きく表示される。オブジェクト４１は、レコメンドエリア４０の上方から現れ、下方に移動する。即ち、オブジェクト４１は、レコメンドエリア４０の上から落下する。好適には、レコメンドエリア４０の上方の領域４２にオブジェクト４１が停止しないようにすることにより、オブジェクト４１が上から降ってきたような視覚的な印象をユーザに与えることができる。レコメンドエリア４０に表示されたオブジェクト４１は、目的地へ近付くと共に徐々に下方へ移動していき、やがてレコメンドエリア４０の外へ出ていく。詳細は後述するが、ユーザは、立寄地として設定したいＰＯＩを表すオブジェクト４１をタッチディスプレイ２５への指によるドラッグ＆ドロップ操作によりタイムラインエリア３０へ移動させることで、当該ＰＯＩを立寄地（即ち経由地）として設定することができる。レコメンドエリア４０は、本発明における「レコメンド領域」の一例であり、オブジェクト４１は、本発明における「レコメンド情報」の一例である。【００３７】
なお、推奨ＰＯＩ及びその推奨度は、種々の方法により決定されてもよい。例えば、記憶部２３は、推奨ＰＯＩの候補及びその推奨度を予め地図データ７０と共に記憶しておく。この場合、制御部２２は、記憶された推奨ＰＯＩの候補から案内経路の近傍に存在するＰＯＩを推奨ＰＯＩとして決定し、当該候補と対応付けて記憶された推奨度に応じた大きさによりオブジェクト４１を表示させる。他の例では、制御部２２は、予め設定されたユーザの属性（性別、趣向、年齢等）に基づき、案内経路周辺の各ＰＯＩについて推奨度を算出し、当該推奨度が所定度以上のＰＯＩを推奨ＰＯＩとして決定する。この場合、制御部２２は、算出した推奨度に基づき、各推奨ＰＯＩに対応するオブジェクト４１の大きさを決定する。なお、推奨度は、案内経路からの距離が短いほど高くなるようにバイアスが設けられてもよい。【００３８】
ストックエリア５０は、レコメンドエリア４０に表示されたＰＯＩのオブジェクト４１を一時的にストックするための領域である。ユーザは、往路では立寄らないが復路で立寄るかもしれないＰＯＩのオブジェクト４１などをドラッグ＆ドロップ操作により一時的にストックエリア５０に移動させておくことができる。ユーザがオブジェクト４１をストックエリア５０に移動すると、そのオブジェクト４１はストックエリア５０内に表示される。ストックエリア５０内には複数のオブジェクト４１をストックすることができる。【００３９】
（２）基本操作
ここで、図３（Ｂ）に示すタッチディスプレイ２５上での基本的な操作であるプレビュー操作及び立寄地設定操作について例示する。【００４０】
図４（Ａ）は、プレビュー操作に基づくメインディスプレイ２４の表示例を示し、図４（Ｂ）はプレビュー操作に基づくタッチディスプレイ２５の表示例を示す。図４（Ｂ）の例では、ユーザは、レコメンドエリア４０にオブジェクト４１として表示されたＰＯＩのうち、関心を持ったＰＯＩ（ここでは「レストランＢ」）のオブジェクト４１を指によりタッチする。この場合、制御部２２は、「レストランＢ」のオブジェクト４１の表示領域への接触を検知し、図４（Ａ）に示すように、現在位置と「レストランＢ」の位置とを少なくとも表示範囲に含むようにメインディスプレイ２４に表示中の地図の縮尺を変更する。そして、制御部２２は、メインディスプレイ２４の地図上に、現在位置マーク５２と、「レストランＢ」の位置を示す施設マーク５３Ｂと、「レストランＢ」の詳細情報を示したウィンドウ５４とを表示している。図４（Ａ）の例では、制御部２２は、「レストランＢ」の詳細情報の一例として、レストランＢのメニューの一例を示す画像と、レストランＢに対する自己あるいは他者による評価（ここでは星４．１個）とをウィンドウ５４上に表示している。なお、制御部２２は、レストランＢの評価情報を、地図データ７０から取得してもよく、各レストランの評価を集計する図示しないサーバ装置から通信部２１を介して受信してもよい。そして、制御部２２は、「レストランＢ」のオブジェクト４１に対する接触を検出しなくなった場合、メインディスプレイ２４及びタッチディスプレイ２５の表示を、元の状態（即ち図３（Ａ）、（Ｂ）に示す状態）に戻す。尚、オブジェクト４１に対する接触があってから所定時間経過後に自動的にプレビュー画面を終了させてもよい。【００４１】
このように、制御部２２は、任意のレコメンドエリア４０上のオブジェクト４１へのタッチ操作をプレビュー操作として認識し、タッチされたオブジェクト４１に対応するＰＯＩの位置及びその他の詳細情報をメインディスプレイ２４上に表示する。これにより、ユーザは、関心があるＰＯＩに関する情報をタッチディスプレイ２５上で好適に確認することができる。【００４２】
図５（Ａ）は、立寄地設定操作に基づくメインディスプレイ２４の表示例を示し、図５（Ｂ）は立寄地設定操作に基づくタッチディスプレイ２５の表示例を示す。図５（Ｂ）の例では、ユーザは、レコメンドエリア４０にオブジェクト４１として表示された推奨ＰＯＩのうち、立寄地として設定したい推奨ＰＯＩ（ここでは「レストランＢ」）のオブジェクト４１を、ドラッグ＆ドロップ操作によりタイムラインエリア３０へ移す。この場合、制御部２２は、タイムラインエリア３０へドラッグ＆ドロップ操作により移されたオブジェクト４１に対応する推奨ＰＯＩである「レストランＢ」を、立寄地として設定すべきと判断する。そして、制御部２２は、当該推奨ＰＯＩを経由する新たな案内経路の探索を行い、探索した経路に基づきタイムラインエリア３０及びメインディスプレイ２４の表示を更新する。図５（Ｂ）の例では、制御部２２は、「レストランＢ」に対応する立寄地アイコン３３Ｃを、時間軸３１に対応付けてタイムラインエリア３０上に新たに表示させている。また、制御部２２は、メインディスプレイ２４に表示する地図上に、「レストランＢ」に対応する立寄地マーク５４を付すと共に、探索した「レストランＢ」を経由する新たな案内経路を示す案内経路線５１を表示させている。【００４３】
このように、制御部２２は、任意のオブジェクト４１のタイムラインエリア３０へのドラッグ＆ドロップ操作を立寄地設定操作として認識し、対象のオブジェクト４１に対応する推奨ＰＯＩを立寄地として設定してメインディスプレイ２４及びタイムラインエリア３０の表示を更新する。これにより、ユーザは、レコメンドエリア４０上にオブジェクト４１として表示された任意のＰＯＩを、立寄地として容易に設定することができる。【００４４】
（３）関連オブジェクトの表示
制御部２２は、任意のオブジェクト４１に対する所定の操作（例えば揺すり操作）を検知した場合、当該オブジェクト４１が示す推奨ＰＯＩに関連するＰＯＩを特定し、当該関連するＰＯＩを示すオブジェクト４１（「関連オブジェクト」とも呼ぶ。）を表示する。これにより、制御部２２は、ユーザが指定した推奨ＰＯＩに関連したＰＯＩのオブジェクト４１を生成し、ユーザが関心を有する推奨ＰＯＩのオブジェクト４１を好適に増やす。関連オブジェクトは、本発明における「関連レコメンド情報」の一例である。【００４５】
図６（Ａ）〜（Ｃ）は、揺すり操作に基づき関連オブジェクトを発生させる際のレコメンドエリア４０の時系列での表示例を示す。まず、図６（Ａ）に示すように、ユーザは、関連オブジェクトを発生させたいＰＯＩ（ここでは「レストランＢ」）に対応するオブジェクト４１に対して揺すり操作を行う。この場合、制御部２２は、「レストランＢ」に対するオブジェクト４１への揺すり操作を検知し、関連オブジェクトを表示させるためのスペースを確保するため、図６（Ｂ）に示すように、揺すり操作が行われたオブジェクト４１の周辺のオブジェクト４１を一旦非表示にする。この場合、制御部２２は、揺すり操作が行われたオブジェクト４１以外の全てのオブジェクト４１を非表示にしてもよく、後に表示させる関連オブジェクトの表示位置と重なると推定されるオブジェクト４１のみを非表示にしてもよい。あるいは、オブジェクト４１の周辺のオブジェクト４１の表示はそのままとし、揺すり操作が行われることで上から降ってくる新たなオブジェクトと接触することによって、周辺のオブジェクト４１が下に押し出される形で表示してもよい。【００４６】
その後、制御部２２は、図６（Ｃ）に示すように、揺すり操作が行われたオブジェクト４１のＰＯＩに関連するＰＯＩを示す関連オブジェクト４１Ｒを、レコメンドエリア４０の上端から降下させる。ここでは、制御部２２は、揺すり操作が行われたオブジェクト４１のＰＯＩと同一ジャンル（ここでは飲食店）であって、当該ＰＯＩから所定距離以内に存在する３つのＰＯＩ「レストランＧ」、「レストランＨ」、「レストランＩ」に対応する関連オブジェクト４１Ｒを生成している。【００４７】
なお、制御部２２は、関連オブジェクト４１ＲのＰＯＩを選定する際、当該ＰＯＩのジャンル及び位置を考慮するのに代えて、又はこれに加えて、当該ＰＯＩに対する評価情報を考慮してもよい。例えば、制御部２２は、この場合、揺すり操作が行われた「レストランＢ」の評価（星４．１）と所定差（例えば星０．２）以内の評価を有する飲食店を所定個数だけ「レストランＢ」の所在地から近い順に検索し、関連オブジェクト４１ＲのＰＯＩとして選定してもよい。これにより、制御部２２は、揺すり操作が行われたオブジェクト４１のＰＯＩと同等の評価となるＰＯＩを好適にユーザにレコメンドすることができる。【００４８】
また、制御部２２は、表示させる関連オブジェクト４１Ｒの個数を、揺すり操作の操作量に応じて決定してもよい。例えば、制御部２２は、揺すり操作によりオブジェクト４１を揺すった回数と同一数の関連オブジェクト４１Ｒを表示する。このように、制御部２２は、揺すり操作の操作量に比例した数だけ関連オブジェクト４１Ｒを生成することで、発生させる関連オブジェクト４１Ｒの個数を好適にユーザに調整させることができる。なお、制御部２２は、揺すった回数を揺すり操作の操作量として特定する代わりに、揺すり操作を行った時間幅を揺すり操作の操作量として特定してもよい。【００４９】
図７（Ａ）は、揺すり操作後のメインディスプレイ２４の表示例を示し、図７（Ｂ）は揺すり操作後のタッチディスプレイ２５の表示例を示す。図７（Ｂ）に示すように、制御部２２は、生成した関連オブジェクト４１Ｒを、レコメンドエリア４０の上端位置から降下させることで所定の位置に配置している。ここでは、制御部２２は、一例として、各関連オブジェクト４１Ｒを、当該関連オブジェクト４１ＲのＰＯＩと最も近い案内経路上の地点の到着予想時刻に対応する時間軸３１上の位置と同じ高さにより表示させている。また、制御部２２は、メインディスプレイ２４に表示する地図を、少なくとも全ての関連オブジェクト４１Ｒ及び操作対象のオブジェクト４１がそれぞれ示すＰＯＩの所在地と車両１の現在位置とが地図の表示範囲に含まれるように縮尺を変更する。そして、制御部２２は、図７（Ａ）に示すように、３つの関連オブジェクト４１Ｒにそれぞれ対応する施設マーク５３Ｇ〜５３Ｉと、揺すり操作の対象となるオブジェクト４１に対応する施設マーク５３Ｂとを、地図上に表示する。このようにすることで、制御部２２は、操作対象のオブジェクト４１が示す推奨ＰＯＩ及び関連オブジェクト４１Ｒが示す推奨ＰＯＩの各位置を、ユーザに地図上で好適に把握させることができる。【００５０】
なお、関連オブジェクト４１Ｒを生成する操作は、揺すり操作に限定されない。例えば、制御部２２は、任意のオブジェクト４１を連続してタップする操作（連打操作）を検知した場合に、関連オブジェクト４１Ｒを生成してもよい。この場合、制御部２２は、連続してタップされた回数に比例した個数だけ関連オブジェクト４１Ｒを生成してもよい。他の例では、制御部２２は、任意のオブジェクト４１を複数の指でタップする操作を検知した場合に、関連オブジェクト４１Ｒを生成してもよい。この場合、制御部２２は、タップする指の本数が多いほど、生成する関連オブジェクト４１Ｒの個数を多くしてもよく、タップした回数に比例した数だけ関連オブジェクト４１Ｒを生成してもよい。【００５１】
また、関連オブジェクト４１Ｒの表示態様は、図６（Ｃ）に示すように、レコメンドエリア４０の上端から降下する態様に限定されない。図８（Ａ）は、関連オブジェクト４１Ｒの表示態様の他の例を示す。関連オブジェクト４１Ｒは、操作対象のオブジェクト４１から拡散するように飛び出して所定の位置まで移動する。この態様によれば、制御部２２は、生成された関連オブジェクト４１Ｒが操作対象のオブジェクト４１からの派生物であることを、より明確にユーザに把握させることができる。【００５２】
また、関連オブジェクト４１Ｒは、所在地に応じて配置が決定される態様に限定されない。図８（Ｂ）は、関連オブジェクト４１Ｒの他の配置例を示す。図８（Ｂ）の例では、各関連オブジェクト４１Ｒは、操作対象のオブジェクト４１を中心とした仮想円上の位置に均等な間隔で配置されている。このように、制御部２２は、関連オブジェクト４１Ｒを、操作対象のオブジェクト４１を規則的に囲むように配置することで、生成された関連オブジェクト４１Ｒが操作対象のオブジェクト４１の派生物であることをより明確にユーザに把握させることができる。【００５３】
（４）対象時間帯の変更に伴う表示の更新
次に、時間軸３１が示す対象時間帯の変更に伴うレコメンドエリア４０の表示の更新処理について説明する。制御部２２は、タイムラインエリア３０上でのピンチアウト及びピンチインの操作に基づき、対象時間帯を変更すると共に、変更された対象時間帯に応じてレコメンドエリア４０に表示させるオブジェクト４１を変更する。【００５４】
図９は、図３（Ｂ）に示す表示例の状態からタイムラインエリア３０上でピンチインの操作が行われた場合のタッチディスプレイ２５の表示例である。【００５５】
この場合、制御部２２は、タイムラインエリア３０上でのピンチインの操作を検知し、対象時間帯を拡大している。具体的には、制御部２２は、図３（Ｂ）に示す表示例では現在時刻である１１時３０分から１３時３０分過ぎまでの時間帯であった対象時間帯を、現在時刻である１１時３０分から目的地の到着予想時刻である１５時３０分までの時間帯に拡大している。また、図９の例では、制御部２２は、対象時間帯が拡大されたことに伴い、タイムラインエリア３０の横幅を狭くし、タイムラインエリア３０の表示を簡略化している。具体的には、制御部２２は、タイムラインエリア３０の横幅を狭くすると共に、目的地の名称表示の省略や時間軸３１に対応付けて表示する立寄地等に関する表示の簡略化を行っている。【００５６】
また、制御部２２は、対象時間帯の変更に伴い、レコメンドエリア４０に表示させるオブジェクト４１を変更している。具体的には、制御部２２は、変更後の対象時間帯に通ることが予想される案内経路上の区間から所定距離以内に存在するＰＯＩを対象に、推奨ＰＯＩを決定している。この場合、各オブジェクト４１は、例えば、対応する推奨ＰＯＩと最も近い案内経路上の地点が現在位置に近いほど下方に配置されている。また、好適には、制御部２２は、所定の大きさ以上のオブジェクト４１のみをレコメンドエリア４０に表示させる。即ち、制御部２２は、推奨ＰＯＩとして認定する推奨度の閾値、言い換えると、オブジェクト４１として表示させるか否かを決定する推奨度の閾値を、対象時間帯の拡大に伴って引き上げる。これにより、制御部２２は、対象時間帯の拡大に伴いレコメンドエリア４０に表示させるレコメンドエリア４０の個数が過度に増加するのを抑制する。【００５７】
図１０は、図３（Ｂ）に示す表示例の状態からタイムラインエリア３０上でピンチアウトの操作が行われた場合のタッチディスプレイ２５の表示例である。【００５８】
この場合、制御部２２は、タイムラインエリア３０上でのピンチアウトの操作を検知し、対象時間帯を縮小させている。具体的には、制御部２２は、図３（Ｂ）に示す表示例では現在時刻である１１時３０分から１３時３０分までの時間帯であった対象時間帯を、現在時刻である１１時３０分から１２時３０分までの時間帯に限定している。また、図１０の例では、制御部２２は、対象時間帯が縮小されたことに伴い、タイムラインエリア３０の横幅を拡大し、タイムラインエリア３０の表示を詳細化している。具体的には、この場合、制御部２２は、タイムラインエリア３０の横幅を広くすると共に、案内が必要な案内経路上の右左折地点（合流地点も含む）での進行方向を示すアイコン及び右左折地点での案内内容を時間軸３１に対応付けて表示している。【００５９】
また、制御部２２は、対象時間帯の変更に伴い、レコメンドエリア４０に表示させるオブジェクト４１を変更している。具体的には、制御部２２は、変更後の対象時間帯に通ることが予想される案内経路上の区間から所定距離以内に存在するＰＯＩを対象に、推奨ＰＯＩを決定する。この場合、例えば、各オブジェクト４１は、対応する推奨ＰＯＩと最も近い案内経路上の地点が現在位置に近いほど下方に配置される。また、好適には、制御部２２は、推奨ＰＯＩとして認定する推奨度の閾値を、対象時間帯の縮小に伴って引き下げてもよい。これにより、制御部２２は、対象時間帯の縮小に伴いレコメンドエリア４０に表示させるレコメンドエリア４０が過少になるのを抑制する。【００６０】
さらに、制御部２２は、好適には、ユーザ操作に基づき、対象時間帯をシフトさせ、シフトした対象時間帯に応じてレコメンドエリア４０に表示させるオブジェクト４１を変更してもよい。【００６１】
図１１は、図３（Ｂ）に示す表示例の状態からタイムラインエリア３０上で下方に向けてフリック操作（又はスワイプ操作）が行われた場合のタッチディスプレイ２５の表示例である。【００６２】
図１１の例では、制御部２２は、タイムラインエリア３０上でのフリック操作（又はスワイプ操作）を検知したことから、対象時間帯を目的地の到着予想時刻に近付けるようにシフトさせている。具体的には、制御部２２は、図３（Ｂ）に示す表示例では現在時刻である１１時３０分から１３時３０分までの時間帯であった対象時間帯を、１３時１５分から１５時１５分までの時間帯にシフトさせている。また、制御部２２は、対象時間帯の変更に伴い、レコメンドエリア４０に表示させるオブジェクト４１を変更している。具体的には、制御部２２は、変更後の対象時間帯に通ることが予想される案内経路上の区間から所定距離以内に存在するＰＯＩを対象に、推奨ＰＯＩを決定している。【００６３】
また、制御部２２は、インジケータ３２を時間軸３１に沿って移動させるユーザ操作を受け付けた場合に、移動後のインジケータ３２が指し示す時間軸３１上の時刻に応じてレコメンドエリア４０に表示させるオブジェクト４１を変更してもよい。【００６４】
図１２は、図９に示す表示例の状態からインジケータ３２をドラッグ＆ドロップ操作により時間軸３１に沿って移動させた場合のタッチディスプレイ２５の表示例である。図１２では、制御部２２は、タイムラインエリア３０上でのインジケータ３２のドラッグ＆ドロップ操作を検知し、インジケータ３２を現在時刻である１１時３０分を指し示す点線の位置から１４時００分過ぎの時刻を指し示す位置に移動させている。【００６５】
この場合、制御部２２は、移動後のインジケータ３２が指し示す時間軸３１上の時刻を認識し、当該時刻において車両１が走行していると推定される案内経路上の地点を基準として推奨ＰＯＩを決定する。例えば、制御部２２は、移動後のインジケータ３２が指し示す時間軸３１上の時刻において車両１が走行していると推定される案内経路上の地点から所定距離以内に存在するＰＯＩを対象に、推奨ＰＯＩを決定する。この場合、制御部２５は、レコメンドエリア４０に表示させるレコメンドエリア４０が過少になるのを防ぐため、推奨ＰＯＩとして認定する推奨度の閾値を引き下げてもよい。【００６６】
図１２の例によれば、制御部２２は、ユーザが指定した時刻付近において立寄ることが可能なＰＯＩから推奨ＰＯＩを選定してユーザに好適に提示することができる。また、ユーザは、休憩したい時刻にインジケータ３２を移動させることで、当該時刻において立寄りやすいＰＯＩを示すオブジェクト４１をレコメンドエリア４０に好適に表示させることができる。【００６７】
［変形例］
次に、上述の実施例に好適な変形例について説明する。以下の変形例は、任意に組み合わせて上述の実施例に適用してもよい。【００６８】
（変形例１）
車両表示システム２０は、メインディスプレイ２４及びタッチディスプレイ２５を備えたが、車両表示システム２０の構成はこれに限定されない。【００６９】
例えば、車両表示システム２０は、ディスプレイを１つのみ備えてもよい。この場合、車両表示システム２０は、例えば、車両のＥＣＵと通信可能なナビゲーション装置であり、実施例におけるメインディスプレイ２４の表示とタッチディスプレイ２５の表示とをユーザ操作等に基づき切り替えて表示可能なタッチディスプレイを有する。なお、上述のナビゲーション装置は、実施例におけるメインディスプレイ２４の表示とタッチディスプレイ２５の表示とを２画面表示により同時に１つのディスプレイで表示してもよい、他の例では、車両表示システム２０は、メインディスプレイ２４に代えて、ヘッドアップディスプレイにより経路案内に必要な表示を行ってもよい。【００７０】
（変形例２）
制御部２２は、タイムラインエリア３０とレコメンドエリア４０との位置を入れ替えて表示させてもよい。例えば、車両１が左ハンドル車の場合には、タイムラインエリア３０を左側、レコメンドエリア４０を右側に配置することで、本実施例で説明した各操作の操作性の向上が期待される。また、制御部２２は、ユーザ操作に基づき、タイムラインエリア３０とレコメンドエリア４０との位置を入れ替えてもよい。【００７１】
（変形例３）
本発明は、タイムラインエリア３０に経路情報を表示し、レコメンドエリア４０にＰＯＩに関するオブジェクト４１を表示する態様に限定されない。例えば、車両表示システム２０は、タイムラインエリア３０に再生する楽曲などのコンテンツのプレイリストを表示し、レコメンドエリア４０に推奨するコンテンツを示すオブジェクト４１を表示してもよい。【００７２】
この場合、関連オブジェクト４１Ｒの生成処理では、制御部２２は、例えば、操作対象のオブジェクト４１が示すコンテンツと同一アーティストによる他のコンテンツを、関連オブジェクト４１Ｒとして表示するコンテンツに設定する。他の例では、制御部２２は、操作対象のオブジェクト４１が示すコンテンツと同一ジャンルの他のコンテンツを、関連オブジェクト４１Ｒとして表示するコンテンツに設定する。このように、本変形例によれば、楽曲などのコンテンツを好適にユーザに推奨することができる。
【符号の説明】
【００７３】
１  車両
２０  車両表示システム
２１  通信部
２２  制御部
２３  記憶部
２４  メインディスプレイ
２５  タッチディスプレイ
２６  スピーカ
２７  センサ部
３０  タイムラインエリア
４０  レコメンドエリア
４１  オブジェクト
５０  ストックエリア
【図１】
2018135622.tif 000003
【図２】
2018135622.tif 000004
【図３】
2018135622.tif 000005
【図４】
2018135622.tif 000006
【図５】
2018135622.tif 000007
【図６】
2018135622.tif 000008
【図７】
2018135622.tif 000009
【図８】
2018135622.tif 000010
【図９】
2018135622.tif 000011
【図１０】
2018135622.tif 000012
【図１１】
2018135622.tif 000013
【図１２】
2018135622.tif 000014
【国際調査報告】
2018135622.tif 000015
2018135622.tif 000016
2018135622.tif 000017
2018135622.tif 000018